(57)【要約】      （修正有）【課題】製剤の過剰な投薬分が投与されるのを阻止するプランジャロッドの磁力式再設定機構及びプランジャロッドのロック機構を有する注射装置を提供すること。【解決手段】アンプル１を受容することのできる注射装置において、ａ）初期位置から出て投与方向に動くことができ、従って、アンプル１のプランジャ２に作用することのできるプランジャロッド３と、ｂ）磁力手段５であって、プランジャロッド３をその長手方向軸線に沿って該磁力手段５に対して動かすことのできる上記磁力手段５と、ｃ）プランジャロッド３上に配置された磁力式相手方手段４と、を備え、ｄ）磁力手段４及び磁力式相手方手段５は、プランジャロッド３の少なくとも１つの位置にて磁力により協働する、注射装置である。【選択図】図１
2007007401.tif 000002
【特許請求の範囲】
【請求項１】
アンプル（１）を受容することのできる注射装置において、
ａ）初期位置から出て投与方向に動くことができ、従って、アンプル（１）のプランジャ（２）に作用することのできるプランジャロッド（３）と、
ｂ）磁力手段（５）であって、プランジャロッド（３）をその長手方向軸線に沿って該磁力手段（５）に対して動かすことのできる前記磁力手段（５）と、
ｃ）プランジャロッド（３）上に配置された磁力式相手方手段（４）と、を備え、
ｄ）磁力手段（５）及び磁力式相手方手段（４）は、プランジャロッド（３）の少なくとも１つの位置にて磁力により協働する、アンプル（１）を受容することのできる注射装置。
【請求項２】
請求項１に記載の注射装置において、磁力手段（５）及び磁力式相手方手段（４）が引き合い又は反発可能である、注射装置。
【請求項３】
請求項１又は２の何れかの項に記載の注射装置において、磁力手段（５）及び磁力式相手方手段（４）は、プランジャロッド（３）の各位置にて、特に、アンプル（１）内に保持された製剤が完全に投与されたときにプランジャロッド（３）がとる位置にて互いに協働することができ、プランジャロッド（３）をその初期位置に戻すことができる、注射装置。
【請求項４】
請求項１ないし３の何れか１つの項に記載の注射装置において、磁力手段（５）及び磁力式相手方手段（４）の少なくとも１つは、磁石、特に、永久磁石である、注射装置。
【請求項５】
請求項１ないし４の何れか１つの項に記載の注射装置において、磁力手段（５）及び磁力式相手方手段（４）の一方が永久磁石であるならば、その他方は強磁性体である、注射装置。
【請求項６】
請求項１ないし５の何れか１つの項に記載の注射装置において、アンプル（１）を一方向に軸方向に固定し得るように接続することができ、また、磁力手段（５）がハウジング（１２）に対して実質的に軸方向に静止しているようにするハウジング（１２）が提供される、注射装置。
【請求項７】
請求項１ないし６の何れか１つの項に記載の注射装置において、磁力式相手方手段（４）は、プランジャロッド（３）にねじ止めし、接着し又はプランジャロッド（３）にて取り囲み、又は先行技術から既知の何らかの他の手段により接続することができる、注射装置。
【請求項８】
請求項１ないし７の何れか１つの項に記載の注射装置において、プランジャロッド（３）は、磁力式相手方手段（４）である、注射装置。
【請求項９】
請求項１ないし８の何れか１つの項に記載の注射装置において、投薬分計量供給手段（７）が回転時、動くとき、プランジャロッド（３）は長手方向に動いてアンプル（１）内に保持された製剤の投薬分を設定し又はその製剤を投薬することができる、注射装置。
【請求項１０】
請求項１ないし９の何れか１つの項に記載の注射装置において、プランジャロッド（３）と係合し且つ、係合手段（８）の回転動作をプランジャロッド（３）の長手方向への動きに変換することができる係合手段（８）が提供される、注射装置。
【請求項１１】
請求項１０に記載の注射装置において、係合手段（８）は、割型ねじ付きナット又は割型ねじ付きナットの一部である、注射装置。
【請求項１２】
請求項１０又は１１の何れかの項に記載の注射装置において、プランジャロッド（３）を動かして戻すため、係合手段（８）は、プランジャロッド（３）を解放し、プランジャロッド（３）は動いてその初期位置に動いて戻ることができるようにする、注射装置。
【請求項１３】
請求項１ないし１２の何れか１つの項に記載の注射装置において、プランジャロッド（３）は、ハウジングにより受容され、アンプル（１）はアンプルホルダ（１５）により受容され、ハウジング（１２）及びアンプルホルダ（１５）は互いに接続することができ、また、ハウジング（１２）及びアンプルホルダ（１５）が互いに解放されたとき、プランジャロッド（３）は、動いてその初期位置に戻ることができる、注射装置。
【請求項１４】
請求項１ないし１３の何れか１つの項に記載の注射装置において、プランジャロッド（３）は、実質的にそれ自体の重量により動いてその初期位置に戻ることができる、注射装置。
【請求項１５】
請求項１ないし１４の何れか１つの項に記載の注射装置において、磁力式相手方手段（４）は、プランジャロッド（３）の基端に配置される、注射装置。
【請求項１６】
請求項１ないし１５の何れか１つの項に記載の注射装置において、磁力手段（５）及び磁力式相手方手段（４）は、初期位置にて、特に、プランジャロッド（３）の最基端側位置にて引き合い係合状態にあり、このため、これらの磁力手段及び磁力式相手方手段は、プランジャロッド（３）の自然の重量により分離することができない、注射装置。
【発明の詳細な説明】
【技術分野】
【０００１】
本発明は、プランジャロッドの磁力式再設定機構と、プランジャロッドの磁力式ロックとを有する注射装置、特に、注射ペンに関する。
【背景技術】
【０００２】
注射装置のアンプルを交換するため、又はかかるアンプルを挿入するためには、ピストンに作用する駆動手段を、原則として、その初期位置に押し戻されなければならない。使用される駆動装置及び投薬分の計量供給機構に依存して、プランジャの駆動手段がハウジング内に完全に後退しない虞れがある。その結果、特定の状況下の患者に対し重大な合併症を引き起こす可能性のある過剰投薬の危険を招く可能性がある。
【発明の開示】
【発明が解決しようとする課題】
【０００３】
無針の注射器ガンは、先行技術から既知であり、国際公開明細書０３／０６８２９６  Ａ３号に記載されている。投与すべき製剤を保持する容器は、ガンに装着され且つ、投与すべき製剤を可撓性の管を介してチャンバに送り出すことのできる注射器として機能する。プランジャは、チャンバ内に保持された製剤に作用し且つ、ボルトにより駆動されて製剤を投与する。製剤を投与するためには、ボルトを圧縮空気の衝撃力によりプランジャの方向に動かす。製剤が投与されたならば、ボルトをその初期位置に戻し且つ、磁石によってその初期位置に保持する。
【０００４】
英国特許明細書２  ３４２  ０４７  Ａ号には、基部本体と、該基部本体内にて長手方向に案内されるプランジャとを有する注射器が開示されている。注射薬を投与するため設けられ且つ、注射器の末端方向に突き出す注射針が基部に取り付けられる。該基部は、注射器の基部本体により長さ方向に動くことができるように取り付けられる。基部及びプランジャロッドの各々は、注射した後、互いに磁力により接触するように互いに強く当る。プランジャを引き戻すと、基部は、針と共に、注射器の基部本体内に引き戻されるため、最早、注射針によって負傷する危険性は無くなる。
【０００５】
本発明の背景となる目的は、製剤の過剰な投薬分が投与されるのを阻止する、注射装置、特に、注射ペンを提案することである。
【課題を解決するための手段】
【０００６】
この目的は、独立請求項に記載されたようにして実現される。有益な実施の形態は従属請求項に記載されている。
本発明は、アンプルを挿入することのできる注射装置、特に、注射ペンに関するものである。アンプルは、投与することを目的とする製剤、特に、流体を保持することが好ましく、該アンプルの一端は、アンプル内にて長手方向に動くことのできるプランジャによって閉じられている。注射装置は、初期位置から投与方向に動くことのできるプランジャロッドを有している。投与方向は、特に、製剤をアンプルから押し出すためプランジャがアンプル内にて動くことのできる方向である。投与方向は、注射装置の長手方向軸線に沿った向きであることが好ましい。プランジャロッドの初期位置は、例えば、アンプルが除去され又は別のアンプルと交換される位置、或いはプランジャロッドがその再基端側位置にてとる位置すなわち基端の当接状態となる位置であるようにすることができる。プランジャロッドの初期位置は、アンプルが挿入されたとき、プランジャロッドがプランジャに作用しないようなものとすることもできる。「基端側」とは、ユーザの方を向く方向を意味し、また、「末端側」とは、ユーザから離れる方向、すなわち注射のため設けられた針が向く方向を意味する。
【０００７】
注射装置は、磁力手段と、磁力式相手方手段とを有する。好ましくは、磁力手段及び磁力式相手方手段の少なくとも１つは、磁石であるものとする。磁石は、例えば、電磁石とし、又は、より好ましくは、永久磁石とする。永久磁石とは、外部から誘発された磁界の影響を受けない磁界を形成する磁石を意味する。磁力手段及び磁力式相手方手段の他方は、例えば、鉄、コバルト、ニッケル、又は例えば、鉄、ニッケル、コバルトの少なくとも１つを保持する合金のような強磁性材料にて出来たものとすることができる。強磁性体又は強磁性材料とは、外部から誘発された磁界の影響下にてそれ自体が磁化され、また、外部から誘発された磁界が除去されたとき、最早、磁化せず又は僅かだけ磁化する材料を意味する。別の実施の形態において、磁力手段及び磁力式相手方手段の双方を磁石としてもよい。２つの磁石が例えば、Ｎ極−Ｎ極又はＳ極−Ｓ極のように、同一の極にて互いに向けて動くならば、これらの磁石は互いに反発し、また、例えば、Ｎ極−Ｓ極のように反対の極により互いに向けて動くならば、これらの磁石は互いに引き付けられよう。
【０００８】
本発明の目的のため、プランジャロッドは、磁力手段に対してその長手方向軸線に沿って変位可能である。磁力手段は、例えば、ハウジングに固定状態に取り付けるか、又はプランジャロッドが動くとき、少なくともプランジャロッドと共に実質的に動かないように配置することができる。例えば、磁力手段は、ハウジングに対して制限された程度だけ変位可能である部分上に配置することもできる。
【０００９】
磁力式相手方手段は、プランジャロッドに配置されることが好ましい。例えば、磁力式相手方手段は、プランジャロッドにねじ止めし、接着し、プランジャロッドにより取り囲み、又はエンクロジャー内に押し込み、又は先行技術から既知の何らかのその他の手段によって接続することができる。永久磁石が振動に露呈される程度が可能な限り少ないことを保証するため、２つが急激に強く当る前に、磁力手段及び磁力式相手方手段の少なくとも一方に対し反発動作を提供し又はそれらの振動を減衰する、少なくとも１つの減衰手段を設けることができる。磁力手段は、ねじ付きナットキャップに配置し、特に、該ねじ付きナットキャップ内に押し込んでもよい。この目的のため、ばねを使用してもよい。１つの好ましい実施の形態において、磁力手段は、特に、ばねによって投薬分計量供給要素に取り付けられる。プランジャロッドに接続された案内スリーブは、少なくともその周縁の回りにて、磁力式相手方手段を取り囲み又は該磁力式相手方手段を軸方向に取り囲み、磁力式相手方手段を損傷し又は振動しないよう保護することもできる。磁力式相手方手段は、案内スリーブ内に押し込み嵌めした配置状態に位置することが好ましい。これと代替的に、又はこれと追加的に、磁力手段及び（又は）磁力式相手方手段には、保護被覆、特に、減衰作用を有する被覆が設けられるようにしてもよい。この目的のため、エラストマー的被覆を使用することが有益である。１つの好ましい実施の形態において、プランジャロッドが磁力式相手方手段である。この場合、磁力式相手方手段が強磁性であり、磁力手段が磁石であることが特に好ましい。
【００１０】
磁力手段及び磁力式相手方手段の双方が磁石である１つの実施の形態において、磁力手段及び磁力式相手方手段が引き合い又は反発するようにこれらの磁力手段及び磁力式相手方手段を配置することが有益である。プランジャロッドが製剤を投与した後にとる位置に対するその初期位置において、プランジャロッドは基端方向に押される。上述したように、初期位置とは、プランジャロッドの最基端側位置とすることができる。プランジャロッドをその初期位置に動かすため、磁力手段及び磁力式相手方手段は、プランジャロッドの少なくとも１つの位置にて磁力により協働する。特に、磁力手段及び磁力式相手方手段は、プランジャロッドがとることのできる位置、例えば、アンプル内に保持された製剤が完全に投与されたときにプランジャロッドがとるような幾つかの又は全ての位置にて互いに協働し、プランジャロッドをその初期位置に戻すことができるようにする。例えば、磁力手段を磁力式相手方手段とプランジャとの間に配置することができ、この場合、磁力手段及び磁力式相手方手段は、この配置にて同一の極により互いの方を向き、磁力式相手方手段、従ってプランジャロッドが磁力手段によりプランジャロッドの初期位置に向けて動かされる。別の実施の形態において、磁力式相手方手段を、磁力手段とプランジャとの間に配置することができ、この場合、磁力手段は、磁力式相手方手段、従ってプランジャロッドをこの配置にてプランジャロッドの初期位置に向けて引き付ける。特に好ましくは、磁力手段は、磁力式相手方手段をその初期位置に固定し、この場合、磁力手段及び磁力式相手方手段は、例えば、接触し又はほぼ接触する。本発明の別の実施の形態において、上述したのと同様の要領にて互いに協働可能な幾つかの磁力手段及び（又は）磁力式相手方手段が提供される。
【００１１】
１つの好ましい実施の形態において、プランジャロッド内に係合し且つ、磁力によってプランジャロッドの動きを阻止することのできる係合手段が設けられる。例えば、係合手段は、投薬分計量供給要素と連結し、この場合、投薬分計量供給要素の動きによってプランジャロッドは長手方向に又は例えば、プランジャの方向に動いて、アンプル内に保持された製剤の投薬分を設定し又はその製剤を投与することができる。好ましくは、例えば、投薬分を設定するための投薬分計量供給要素の回転によって係合手段は回転し且つ（又は）、例えば、投与することを目的とする、投薬分計量供給要素の長手方向への動きによって係合手段が長手方向に動くようにする。プランジャロッド及び係合手段は、協働し且つ、例えば、ねじ付き駆動装置を形成することのできるそれぞれのねじ部を有し、係合手段の回転動作をプランジャロッドの長手方向への動きに変換することができる。係合手段は、例えば、ねじ付きナットとし、特に、割型ねじ付きナット又は割型ねじ付きナットの一部とする。割型ねじ付きナットの詳細及びプランジャロッドが解放される仕方については、当該出願人の出願によるドイツ国特許公開明細書１０２  ２９  １３８  Ａ１号を特に参照すべきである。係合手段は、プランジャロッドを解放し、特に、アンプルを交換し又はプランジャロッドを再設定し、磁力がプランジャロッドをその初期位置に動かすことができるような設計とされることが好ましい。係合手段は、例えば、協働する楔形要素と係合し且つ、該楔形要素と非係合状態となり、該楔形要素によりプランジャロッドが案内されるようにする。係合手段は、係止要素と協働可能である、楔形状面を有することができる。特に、係止要素は、楔形状面を有するようにしてもよい。楔形状面によって係止要素が軸方向に動き、その結果、係合手段が半径方向に動くようにする。係止要素は動いて、該係止要素が係合手段と半径方向に重なり合い、係合手段をプランジャロッドと係合状態に保持するようにすることが望ましい。
【００１２】
プランジャロッドは、ハウジングにより受容され且つ（又は）アンプルは、ハウジングと接続することのできるアンプルホルダにより受容されることが好ましい。例えば、ハウジング及びアンプルホルダは、少なくとも1つの手段であって、ハウジング及びアンプルホルダが接続されたとき、係合手段がプランジャロッドと係合状態となり、また、ハウジング及びアンプルホルダが互いに解放されたとき、係合手段がプランジャから解放され、また、プランジャロッドが解放されるよう、係合手段と連結されるようにする上記少なくとも１つの手段を有する。その結果、ハウジング部分が互いに解放されると、プランジャロッドは、動いてその初期位置に戻ることができる。
【００１３】
アンプルホルダの基端側にて、アンプルホルダがハウジングに取り付けられたとき、係止手段を共に駆動する長手方向に変位可能なスリーブをハウジングに配置することができる。その結果、係止手段は動いてプランジャロッドと係合する。スリーブ及び（又は）係止手段は、アンプルホルダがハウジングに取り付けられたとき、ばね力に対抗する。
【００１４】
別の実施の形態において、例えば、プランジャロッドがプランジャロッドの各位置にて初期位置に動いて戻ることができないよう、磁力手段及び磁力式相手方手段は互いに離れた距離だけ離間させることができる。この場合プランジャロッドが磁力によって動くことのできる位置に係合手段が解放され又は動いて戻るとき、プランジャロッドは、重力の助けを受けて初期位置に動くことが好ましい。特に好ましくは、磁力式相手方手段がプランジャロッドの基端に配置され、磁力手段が注射ペン又は注射装置の基端に配置されるようにする。特に、磁力手段及び磁力式相手方手段は、初期位置にて係合し、これらは、それらの重量が磁力引き付け力に対抗する場合でさえ、それらの自然の重力のため、動いて互いに離れることができないようにする。
【００１５】
例えば、アンプルホルダを被い、また、アンプル又はアンプルホルダに取り付けることのできる針を被うことのできるキャップをハウジングの末端に取り付ける。該キャップは、注射装置を例えば、シャツのポケット内に固定するためのクリップを有することもできる。
【００１６】
注射装置のプランジャロッドを再設定する方法は、プランジャロッドが最初に解放されてその長手方向軸線に沿った動きを実行し得るようなものとすることができる。磁力手段及び磁力式相手方手段の一方によってその両者の他方に対し磁力が加えられ、プランジャロッドが動いてその初期位置に戻ることを可能にする。該方法は、プランジャロッドが動いて初期位置に戻るようにするステップを含み、また、プランジャロッドを初期位置に固定するステップを含む。１つの形態の観点から、この方法は、プランジャロッドがアンプルと係合し又はアンプルが解放され又はプランジャにより解放が阻止されるために実行される。有益な方法のステップは、上述した注射装置を使用することで得ることもできる。
【発明を実施するための最良の形態】
【００１７】
本発明は、幾つかの実施の形態の例に基づいて上記に詳細に説明した。本発明は、図面の助けを借りてこれら実施の形態の一例に関して説明する。一例として説明した実施の形態から明らかになる特徴は、それ自体及び特徴の任意の組み合わせにて請求項の主題事項を構成するものである。
【００１８】
図１、図２及び図３に示した注射ペンは、本発明の特殊な実施の形態を表わすものである。該注射ペンは、ハウジング１２と、該ハウジングに取り付けられたキャップ１１とを備えており、該キャップは、ハウジング１２から除去することができ、同時に、アンプルホルダ１５又はアンプル１の被い部又はアンプルに取り付けることのできる針（図示せず）の被いを形成する。基端側ハウジング部分１１は、例えば、ねじ又は拘束手段によってハウジング１２に固定することができる。プランジャロッド３は、該プランジャロッドが長手方向への動きを実行し得るようにハウジング１２に取り付けられる。プランジャロッド３は、その上をねじが伸びる円筒状部分を有する。皿形状の板要素が例えば、ねじによって、プランジャロッド３の末端面に取り付けられる。該板要素は、アンプル１内にて長手方向に変位し且つ、好ましくは、アンプル内に保持された液体製剤を基端方向に密封し得るよう配置されたプランジャ２と協働することができる。皿ビス６によってプランジャロッド３の基端に取り付けられた環状の磁力式相手方要素４がプランジャロッド３の基端に配置される。磁力式相手方要素４は、例えば、磁石、特に、永久磁石、又は強磁性体とすることができる。プランジャロッド３は、該プランジャロッドがハウジング１２に対し回転するのを阻止し得るよう固定される。
【００１９】
プランジャロッド３と係合可能な係合要素８は、ハウジング１２によっても受容される。図１に示すように、プランジャロッド３と係合する係合要素８及びプランジャロッド３は、係合要素８の回転動作をプランジャロッド３の長手方向への動きに変換するねじ付き駆動装置１３を形成する。係合要素８は、特に、初期位置にあるとき、プランジャロッド３を取り囲むスリーブ形状要素８ａ（図３）の末端に配置される。ねじ付きナットキャップ１８がスリーブの基端にてスリーブ８ａにねじ止めされる。係合要素８は、スリーブ８ａ及びねじ付きナットキャップ１８と共に回転し且つ、ハウジング１２に対し軸方向に動くことができる。伝導スリーブ１０に作用するばね９によって、係合要素８、スリーブ８ａ、ねじ付きナットキャップ１８及び伝導スリーブは基端方向に押される。特に、図３に示すように、ねじ付きナットキャップ１８は、磁力式相手方手段４及び案内スリーブ２３に対する基端側の軸方向ストッパを構成する。この目的のため、ねじ付きナットキャップ１８は、その基端に半径方向内方を向くカラーを有している。案内スリーブ２３は、その周縁にて磁力式相手方手段４を取り囲む。案内スリーブ２３は、磁力式相手方手段４の端面を超えて基端方向に突き出し、案内スリーブ２３は、動いてねじ付きナットキャップ１８と当接し、磁力式相手方手段４を損傷させるであろう過剰な振動から該磁力式相手方手段４を保護することができる。これと代替的に、又はこれと追加的に、磁力式相手方手段４には、その端面に保護被覆、好ましくは、減衰効果を有する被覆、更により好ましくは、エラストマー的被覆を設け、磁力式相手方手段４を過剰な振動から保護するようにすることもできる。
【００２０】
投薬分計測供給要素７は、該要素が回転し且つ、長手方向に動くことができるようハウジング１２の基端に受容されている。投薬分計量供給要素７は、伝導スリーブ１０と回転時、固定されるように伝導スリーブ１０と連結され、また、伝導スリーブ１０は、スリーブ８ａと回転時、固定されるように係合手段８を構成するスリーブ８ａと接続されている。投薬分計量供給要素７が回転時、動くと、係合手段８も、また、回転して変位し、その結果、プランジャロッド３は、所望の投薬量に依存して、プランジャ２の末端方向又は基端方向に動く。
【００２１】
投薬分計量供給要素７は、プランジャロッド３の磁力式相手方手段４と引き合う関係にて協働する磁力手段５を受容する。磁力手段５は、例えば、磁石、特に、永久磁石とし、又は強磁性材料にて出来たものとすることができる。ばね２０は、投薬分計量供給要素７内に受容され、該投薬分計量供給要素は、一端にて磁力手段５上に支持され、また、他端にて投薬分計量供給要素７上に支持され又は該投薬計量供給要素７に取り付けられた蓋キャップ７ａ（図３）上に支持される。その結果、蓋キャップ７ａは、一方にてねじ付きナットキャップ８からある距離に保持され、また、他方にて磁力手段５は、ねじ付きナットキャップ２１と当接状態に保持される。この適用例の有利な点は、プランジャロッド３が迅速に戻って衝撃作用を生じさせるならば、ばね２０は、その衝撃作用を吸収し又は減衰させることができる点である。端部位置におけるこの減衰作用は、磁石にて穏やかである。
【００２２】
伝導スリーブ１０は、投薬分計量供給手段７、伝導スリーブ１０又は係合手段８の相対的な角度位置を、投薬分ディスプレイモジュール１４によってハウジング１２に対して固定する手段をその外周に有している。ねじ付き駆動装置１３のねじピッチのため、投薬分ディスプレイモジュール１４は、相対的な角度位置に基づいて、投薬分を設定すべくプランジャロッド３がプランジャ２の方向に押される距離を決定することができる。アンプル１の内径及びプランジャロッド３によりカバーされる投薬分計量供給距離のため、投薬分ディスプレイモジュール１４は、投与すべき製剤の設定された量を好ましくはＬＥＤ要素にてユーザに表示することができる。
【００２３】
アンプル１は、アンプルホルダ１５により受容される。アンプルホルダ１５は、窓部を有している。該窓部により、アンプルの充填状態を点検することができる。アンプルホルダ１５は、ねじ接続部１６によりハウジング１２に解放可能に接続されている。ばね２１によりアンプル１に対して押し付けられる締結要素２２も設けられている。ばね２１は、一端にて、ハウジング１２に対して実質的に軸方向に静止した要素上に支持され、また、他端にて締結要素２２上に支持されている。締結要素２２を介してばね９によりアンプル１に伝導される軸方向力のため、アンプル１は、末端方向に押されてアンプルホルダ１５と当接するようにされる。
【００２４】
ハウジング１２は、長手方向に動くことのできる摺動スリーブ１７及び解放要素１９の取り付け部も提供する。解放要素１９は、ばね９により加えられた力により末端方向に偏倚される。該ばねは、解放手段上にて且つ伝導スリーブ１０上に支持されている。アンプルホルダ１５がハウジング１２に取り付けられると、摺動スリーブ１７は基端方向に押され、このため、ばね９のばね力に抗して解放要素１９に押し付けられる。アンプルホルダ１５がねじ込んだ状態にあるとき、解放要素１９は、係合手段８と半径方向に重なり合い、このため、係合手段１８はプランジャロッド３内に係合し、このため、ねじ付き駆動装置１３を形成する。
【００２５】
アンプルホルダ１５がハウジング１２から解放されたとき、解放要素１９及び摺動スリーブ１７は、ばね９のばね力によって末端方向に押される。その結果、半径方向外方に作用する偏倚力を有することが好ましい解放要素８は、半径方向外方に動き、このため、係合要素８とプランジャロッド３との係合は解放される。このとき、プランジャロッド３は解放され、このため、長手方向へのプランジャロッド３の動きが可能となる。相応する位置にあるとき、プランジャロッド３は重力によって図１に示したその初期位置に戻り且つ、磁力手段５と磁力式相手方手段４の協働によって固定される。磁力手段５及び磁力式相手方手段の引き付け力は、極めて強力であり、このため、プランジャロッド３は、最早、それ自体の重量によってその初期位置から動くことはできないが、好ましくは、該プランジャロッドは、係合手段８が係合している限り、最早、動くことができないようにする。磁力手段及び磁力式相手方手段の磁界が十分に強力であるならば、磁力手段５及び磁力式相手方手段４の引き付け力によって、プランジャロッド３を図２に示したプランジャロッド３の最末端位置から引き戻すこともできる。この場合、プランジャロッド３がその初期位置に戻る動作を助け又はプランジャロッドを支持するためだけの重力は、最早、不要であろう。
【００２６】
製剤を最初に投与する前、プランジャロッド３はその初期位置（図１）にある。投薬分計量供給装置７を回すことにより、プランジャロッド３はアンプル１のプランジャ２の方向に所望の投薬分だけ動く。所望の製剤投薬分を設定する前、又は設定した後、装置のユーザはキャップ１１をペンから除去することができる。製剤の投薬分が設定されたならば、注射ペンのユーザは、図示しない針にて所望の身体部分を突き刺す。次に、ユーザは、投薬分計量供給要素７を末端方向に押し、その結果、投薬分計量供給要素７はねじ付きナット１８、係合手段８を形成するスリーブ８ａ、係合手段８及び伝導スリーブ１０を投与方向に動かす。プランジャロッド３及び係合手段８は、図１に示した位置にて係合しているから、係合要素８が長手方向に動くと、プランジャロッド３は該係合要素と共に末端方向に動き、このため、プランジャ２は、予め設定した投薬分計量供給距離だけ投与方向に動く。アンプル１が空になり、また、プランジャ２がアンプル１の末端面に到達する迄、アンプル１内に保持された製剤の投薬分を数回、計量供給し且つ、投与することができる。アンプル１を交換するためには、アンプルホルダ１５をハウジング１２から除去し、使用済みのアンプル１を新たなアンプル１と交換する。アンプルホルダ１５がハウジング１２から除去されると、係合手段８は解放要素１９により半径方向に解放され、このため、係合手段はプランジャロッド３を解放し、プランジャロッド３はその重力及び（又は）磁力によりプランジャロッドを固定することのできるその初期位置から戻される。アンプルホルダ１５がハウジングの基端側部分１２に取り付けられると、解放要素１９を戻して、該解放要素が係合手段８と半径方向に重なり合い、注射ペンが直ちに投与可能であるようにする。
【図面の簡単な説明】
【００２７】
【図１】アンプル内に保持された製剤を投与する前の本発明により提案される注射装置を示す図である。
【図２】アンプル内に保持された製剤を投与した後の図１に示した注射装置を示す図である。
【図３】図１に示した注射装置の詳細図である。
【符号の説明】
【００２８】
１    アンプル
２    プランジャ
３    プランジャロッド
４    磁力式相手方手段
５    磁力手段
６    皿ビス
７    投薬分計量供給要素
７ａ    蓋キャップ
８    係合手段
８ａ    スリーブ
９    ばね
１０    伝導スリーブ
１１    キャップ
１２    ハウジング
１３    ねじ付き駆動装置
１４    投薬分ディスプレイモジュール
１５    アンプルホルダ
１６    ねじ接続部
１７    摺動スリーブ
１８    ねじ付きナット
１９    解放要素
２０    ばね
２１    ねじ付きナットキャップ
２２    締結要素
２３    案内スリーブ
【図１】
2007007401.tif 000003
【図２】
2007007401.tif 000004
【図３】
2007007401.tif 000005